(57)【特許請求の範囲】
【請求項１】
電源に接続される給電コイルを収納する給電側ケースと、
光源を取り付ける光源取付部と、
前記光源取付部に取り付けられる前記光源に電力を供給する受電部とを備え、
前記受電部は、
前記給電コイルと磁気結合する受電コイルと、前記受電コイルを収納する受電側ケースであって前記給電側ケースに近接して配置される受電側ケースとを備え、
前記受電コイルは、
前記受電側ケースが前記給電側ケースに近接して配置されることにより前記給電コイルに近接して配置され、前記電源から電圧を印加された給電コイルにより非接触給電され、
前記給電側ケースは、前記受電側ケースに近接する面である給電部側対向面部を有し、
前記受電側ケースは、前記給電部側対向面部に対向する面である受電部側対向面部を有し、
前記給電部側対向面部と前記受電部側対向面部との少なくともいずれかは、前記給電コイルと前記受電コイルとが近接する位置に対応する領域に、絶縁材により形成された絶縁領域を備え、
前記給電側ケースは、前記給電部側対向面部が前記絶縁領域を備える場合は、前記絶縁領域以外の前記給電部側対向面部の領域と前記給電部側対向面部以外の面とは非絶縁材により形成され、
前記受電側ケースは、前記受電部側対向面部が前記絶縁領域を備える場合は、前記絶縁領域以外の前記受電部側対向面部の領域と前記受電部側対向面部以外の面とは非絶縁材により形成された光源装置。
【請求項２】
前記光源装置は、さらに、
外面を有する筐体であって、前記受電部を内部に収納するとともに前記光源取付部を前記外面に備える筐体を備え、
前記筐体は、前記給電部側対向面部に対向する面である筐体側対向面部を有し、
前記筐体側対向面部は、前記受電部側対向面部に対応する領域に開口部を有し、
前記受電部側対向面部は、前記筐体側対向面部の前記開口部から露出した請求項１に記載の光源装置。
【請求項３】
前記光源装置は、設置板に設置され、
前記設置板は、前記光源から発せられる光の照射方向側の面である表面と、前記表面の反対側の面である裏面と、前記表面から前記裏面まで貫通する貫通孔とを備え、
前記給電側ケースは、前記設置板の前記裏面側の前記貫通孔の位置に配置されるとともに、前記給電部側対向面部が前記光の照射方向側に向くように配置され、
前記設置板は、さらに、前記受電部側対向面部が前記給電部側対向面部と対向するように前記筐体を取り付ける筐体取付部を備えた請求項２に記載の光源装置。
【請求項４】
前記光源取付部は、ＬＥＤ（発光ダイオード）を実装する光源基板を前記光源とし、前記光源基板が前記受電部側対向面部と平行になるように前記光源基板を取り付けた請求項１から３のいずれか１項に記載の光源装置。
【請求項５】
設置板に設置された光源装置において、
電源に接続される給電コイルを収納する給電側ケースと、
光源を取り付ける光源取付部と、
前記光源取付部に取り付けられる前記光源に電力を供給する受電部と、
外面を有する筐体であって、前記受電部を内部に収納するとともに前記光源取付部を前記外面に備える筐体と
を備え、
前記受電部は、
前記給電コイルと磁気結合する受電コイルと、前記受電コイルを収納する受電側ケースであって前記給電側ケースに近接して配置される受電側ケースとを備え、
前記受電コイルは、
前記受電側ケースが前記給電側ケースに近接して配置されることにより前記給電コイルに近接して配置され、前記電源から電圧を印加された給電コイルにより非接触給電され、
前記給電側ケースは、前記受電側ケースに近接する面である給電部側対向面部を有し、
前記受電側ケースは、前記給電部側対向面部に対向する面である受電部側対向面部を有し、
前記給電部側対向面部と前記受電部側対向面部との少なくともいずれかは、前記給電コイルと前記受電コイルとが近接する位置に対応する領域に、絶縁材により形成された絶縁領域を備え、
前記設置板は、前記光源から発せられる光の照射方向側の面である表面と、前記表面の反対側の面である裏面と、前記表面から前記裏面まで貫通する貫通孔とを備え、
前記給電側ケースは、前記設置板の前記裏面側の前記貫通孔の位置に配置されるとともに、前記給電部側対向面部が前記光の照射方向側に向くように配置され、
前記設置板は、さらに、前記受電部側対向面部が前記給電部側対向面部と対向するように前記筐体を取り付ける筐体取付部を備えた光源装置。
【請求項６】
光源を取り付ける光源取付部と、
電源に接続される給電コイルを収納する給電側ケースと、
前記光源に電力を供給する受電部であって、前記給電コイルと磁気結合することにより前記給電コイルから非接触給電される受電コイルを収納する受電側ケースを備える受電部と、
表面と裏面とを有する分離板であって、前記表面に前記受電側ケースを取り付けるとともに、前記裏面に前記給電側ケースを取り付ける分離板と
を備え、
前記受電側ケースは、内部に収納されている前記受電コイルが近接する面である受電部側対向面部が前記表面に当接するように前記表面に取り付けられ、
前記給電側ケースは、内部に収納されている前記給電コイルが近接する面である給電部側対向面部が前記裏面に当接するように前記裏面に取り付けられ、
前記給電部側対向面部と前記受電部側対向面部と前記表面と前記裏面との少なくともいずれかの、前記給電コイルと前記受電コイルとが近接する位置に対応する領域に、絶縁材により形成された絶縁領域を備え、
前記給電側ケースは、前記給電部側対向面部が前記絶縁領域を備える場合は、前記絶縁領域以外の前記給電部側対向面部の領域と前記給電部側対向面部以外の面とは非絶縁材により形成され、
前記受電側ケースは、前記受電部側対向面部が前記絶縁領域を備える場合は、前記絶縁領域以外の前記受電部側対向面部の領域と前記受電部側対向面部以外の面とは非絶縁材により形成され、
前記分離板は、前記表面と前記裏面との少なくともいずれかが前記絶縁領域を備える場合は、前記絶縁領域以外の領域は非絶縁材により形成された光源装置。
【請求項７】
前記分離板は、周縁から前記表面側に突き出た側壁部であって前記受電側ケースを囲むように形成された側壁部を備え、
前記光源取付部は、底面と前記底面の周縁から突き出した側面部とを有する蓋形状であり、前記底面の裏面に前記光源が取り付けられ、前記分離板の前記側壁部の外周面と前記側面部の内周面とが当接するように、前記分離板に被せられている請求項６に記載の光源装置。
【請求項８】
前記分離板は、前記側壁部の外周面に突き出した連続した突出部であって、前記光源取付部の前記側面部の内周面と密着する突出部を備えた請求項７に記載の光源装置。
【発明の詳細な説明】
【技術分野】
【０００１】
本発明は、例えば、ＬＥＤ（発光ダイオード）を光源として用いた光源装置であって非接触給電を行う光源装置に関する。
【背景技術】
【０００２】
従来、発光ダイオード（以下ＬＥＤと称する）等の固体光源の電源装置として非接触給電を使用する技術がある。例えば、特開２００３−３０９９７１号（特許文献１）の装置は、高周波交流が印加される一次巻線Ｌ１に対して、磁気的に結合した負荷部側の二次巻線Ｌ２を有する装置である。この装置では、一次巻線Ｌ１が空芯コイルで線状に細長く巻かれているので、負荷部側の二次巻線Ｌ２を巻線Ｌ１に沿って移動させることで負荷の位置を移動できる。また、一次側巻線Ｌ１が細長いコアの長手方向に巻かれている例では、二次側巻線Ｌ２をこの一次側巻線のコアに沿って動かしても電力を得ることができるので負荷の位置を移動できる。
【０００３】
また、特開２０１１−１１３７５１号（特許文献２）の装置は、電気スタンドなどであり、光源部だけが位置を変更することができるものである。この装置は、電気スタンドの懸架部に摺動自在に嵌合する灯具ホルダー（光源部）を取り付けたものである。電気スタンドの懸架部には、それぞれ給電コイルを備えた複数の給電側コアが配置されており、灯具ホルダーの位置を変えても、給電側コアにより灯具ホルダーに備えられた受電コイルに給電し光源に電力を供給できる。
【先行技術文献】
【特許文献】
【０００４】
【特許文献１】特開２００３−３０９９７１号（図２、図４参照）
【特許文献２】特開２０１１−１１３７５１号（図７、図８参照）
【発明の概要】
【発明が解決しようとする課題】
【０００５】
特許文献１の装置では、給電側である一次側巻線Ｌ１の形状は長く、受電側である二次巻線と結合していない箇所が長くなるので、外部への磁束の漏れが大きい。そのため外部へのノイズの放射が大きくなり易いという課題がある。
【０００６】
特許文献２の装置では、懸架部に給電コイルを複数備えるので、灯具ホルダーへ給電していない懸架部の給電コイルからは不要なノイズの放射が大きくなり易い。また、給電側コアと受電側コアとの間には微小な隙間Ｃを有するが、給電側と受電側間に誘導雷、あるいは何らかの異常な高電圧が印加されると、ここで絶縁破壊を起こす可能性があるなどの課題がある。
【０００７】
本発明は、給電側と受電側間の絶縁性能等を向上させることを目的とする。
【課題を解決するための手段】
【０００８】
本発明に係る光源装置は、電源に接続される給電コイルを収納する給電側ケースと、光源を取り付ける光源取付部と、前記光源取付部に取り付けられる前記光源に電力を供給する受電部とを備え、前記受電部は、前記給電コイルと磁気結合する受電コイルと、前記受電コイルを収納する受電側ケースであって前記給電側ケースに近接して配置される受電側ケースとを備え、前記受電コイルは、前記受電側ケースが前記給電側ケースに近接して配置されることにより前記給電コイルに近接して配置され、前記電源から電圧を印加された給電コイルにより非接触給電され、前記給電側ケースは、前記受電側ケースに近接する面である給電部側対向面を有し、前記受電側ケースは、前記給電部側対向面に対向する面である受電部側対向面を有し、前記給電部側対向面と前記受電部側対向面との少なくともいずれかは、前記給電コイルと前記受電コイルとが近接する位置に対応する領域に、絶縁材により形成された絶縁領域を備えることを特徴とする。
【発明の効果】
【０００９】
本発明に係る光源装置は、電源に接続される給電コイルを収納する給電側ケースと、光源を取り付ける光源取付部と、前記光源取付部に取り付けられる前記光源に電力を供給する受電部とを備え、前記受電部は、前記給電コイルと磁気結合する受電コイルと、前記受電コイルを収納する受電側ケースであって前記給電側ケースに近接して配置される受電側ケースとを備え、前記受電コイルは、前記受電側ケースが前記給電側ケースに近接して配置されることにより前記給電コイルに近接して配置され、前記電源から電圧を印加された給電コイルにより非接触給電され、前記給電側ケースは、前記受電側ケースに近接する面である給電部側対向面を有し、前記受電側ケースは、前記給電部側対向面に対向する面である受電部側対向面を有し、前記給電部側対向面と前記受電部側対向面との少なくともいずれかは、前記給電コイルと前記受電コイルとが近接する位置に対応する領域に、絶縁材により形成された絶縁領域を備えるので、給電側と受電側間の絶縁性能を向上させ、非接触給電で点灯する光源装置の安全性を高めることができる。
【図面の簡単な説明】
【００１０】
【図１】実施の形態１に係る光源装置１００の断面を示す模式図である。
【図２】実施の形態１に係る光源装置１００の平面図である。
【図３】実施の形態１に係る光源装置１００に使用可能な点灯装置の一例を示す回路図である。
【図４】実施の形態１に係る光源装置１００に使用可能な点灯装置の他の例を示す回路図である。
【図５】実施の形態１に係る光源装置１００の光源としてＬＥＤ（発光ダイオード）を用いた場合の一構成例を示す図である。
【図６】実施の形態２に係る光源装置１０２の断面を示す模式図である。
【図７】実施の形態３に係る光源装置１０３の断面を示す模式図である。
【図８】光源装置１０２の一部断面を示す模式図である。
【図９】光源装置１０２の平面図である。
【図１０】実施の形態５に係る光源装置１０５の平面図である。
【図１１】実施の形態６に係る光源装置１０６の断面を示す模式図である。
【図１２】実施の形態７に係る光源装置１０７の模式図であり、（ａ）は断面を示す模式図、（ｂ）は平面図（発行方向側から見た図）である。
【図１３】本実施の形態８に係る光源装置１０８のコアの配置の一例を示す図である。
【図１４】実施の形態９に係る光源装置９０１の断面を示す模式図である。
【図１５】実施の形態９に係る光源装置９０１において、組み立て作業状態を示す平面図である。
【図１６】実施の形態９に係る光源装置９０１において、組み立て作業状態を示す平面図である。
【図１７】実施の形態９に係る光源装置９０１において、光源部７０を取り付けた完成状態を示す平面図である。
【発明を実施するための形態】
【００１１】
実施の形態１．
図１は、本実施の形態に係る光源装置１００の断面図である。図２は、本実施の形態に係る光源装置１００の平面図である。図３は、本実施の形態に係る光源装置１００に使用可能な点灯装置の一例を示す回路図である。図４は、本実施の形態に係る光源装置１００に使用可能な点灯装置の他の例を示す回路図である。図５は、本実施の形態に係る光源装置１００の光源としてＬＥＤ（発光ダイオード）を用いた場合の一構成例を示す図である。図１〜５を用いて、本実施の形態にかかる光源装置１００について説明する。
【００１２】
図１に示すように、光源装置１００は、設置板５０に設置されている。設置板５０は、例えば、壁面、天井面等である。光源装置１００は、給電部２０、受電部３０、筐体４０、光源取付部６０、光源部７０を備える。給電部２０は、交流電源１０に接続されている。
【００１３】
交流電源１０は、スイッチ手段（図示せず）等により給電部２０（給電コイル２３）に交流電源の供給を行う。給電部２０は、非接触給電をおこなうための高周波交流電圧の生成を行う。給電部２０は、出力を伝達するための給電コイル２３と、この給電コイル２３を備えた給電コア２４等を備える。また、給電部２０は、給電コイル２３、給電コア２４等を内部に収納する給電側ケース２１を備える。図１は、光源装置１００の構造の断面を示す模式図である。
【００１４】
受電部３０は、光源取付部６０に取り付けられる光源部７０に電力を供給する。受電部３０は、給電部２０が備える給電コイル２３と磁気結合する受電コイル３３と、受電コイル３３を収納する受電側ケース３１であって給電側ケース２１に近接して配置される受電側ケース３１とを備える。受電コイル３３は、受電側ケース３１が給電側ケース２１に近接して配置されることにより給電コイル２３に近接して配置され、交流電源１０から電圧が印加された給電コイル２３により非接触給電される。
【００１５】
給電コイル２３に対応した受電コイル３３は、受電コア３４に巻かれており、給電コア２４と受電コア３４とは近接して対面するように位置している。
【００１６】
給電部２０の破線で示す面は、受電部３０との対向面（給電部側対向面２２）である。受電部３０の破線で示す面は、給電部２０との対向面（受電部側対向面３２）である。給電側ケース２１は、受電側ケース３１に近接する面である給電部側対向面２２を有し、受電側ケース３１は、給電部側対向面２２に対向する面である受電部側対向面３２を有する。
【００１７】
給電部側対向面２２と受電部側対向面３２との少なくともいずれかは、給電コイル２３と受電コイル３３とが近接する位置に対応する領域に、絶縁材により形成された絶縁領域８０を備える。図１では、受電部側対向面３２が絶縁領域８０を備える場合を示している。
【００１８】
絶縁材とは、例えば、樹脂などの絶縁物である。給電コイル２３を備えた給電コア２４と受電コイル３３を備えた受電コア３４との間に介在する絶縁材料の厚さは薄ければ薄いほど、給電コイル２３と受電コイル３３との磁気結合が良くなるが、機械的強度や絶縁性能を考慮し２ｍｍ以下で０．３ｍｍ以上が好ましい。
【００１９】
例えば、給電部側対向面２２が絶縁領域８０を備える場合は、絶縁領域８０以外の給電部側対向面２２の領域と、給電側ケース２１の給電部側対向面２２以外の面とは非絶縁材により形成される。また、受電部側対向面３２が絶縁領域８０を備える場合は、絶縁領域８０以外の受電部側対向面３２の領域と、受電側ケース３１の受電部側対向面３２以外の面とは非絶縁材により形成される。
【００２０】
つまり、給電側ケース２１あるいは受電側ケース３１は、絶縁領域８０を備える場合は、給電コイル２３及び給電コア２４と、受電コイル３３及び受電コア３４とが近接している領域である絶縁領域８０以外の部分は全て、金属などの非絶縁材により形成されている。このような構成とすることにより、高周波コイル（給電コイル２３、受電コイル３３）から外部へ出る不要な電磁放射ノイズを低減できる。
【００２１】
例えば、給電部側対向面２２の少なくとも一部は絶縁材料で構成された絶縁領域８０であり、給電部２０と受電部３０とを絶縁している。また、例えば、受電部側対向面３２の少なくとも一部は絶縁材料により構成された絶縁領域８０であり、給電部２０と受電部３０とを絶縁している。給電部側対向面２２と受電部側対向面３２との両方が絶縁領域８０を有していても良いし、どちらか一方のみが絶縁領域８０を有しているとしても良い。
【００２２】
また、給電部側対向面２２の全体が絶縁材で形成されていても良いし、給電部側対向面２２の一部が絶縁材で形成されていても良い。同様に、受電部側対向面３２の全体が絶縁材で形成されていても良いし、受電部側対向面３２の一部が絶縁材で形成されていても良い。
【００２３】
絶縁領域８０の形成方法としては、面（全体あるいは一部）そのものを絶縁材で形成してもよいし、非絶縁材で形成された面の全体あるいは一部に絶縁シート等を貼り付けることにより絶縁領域８０を形成しても良い。
【００２４】
また、筐体４０が受電側ケース３１を兼ねている構成としても良い。
【００２５】
筐体４０は、外面を有し、受電部３０を内部に収納するとともに光源取付部６０を外面に備える。図１及び図２に示すように、筐体４０は、中央部の矩形部分が光の照射方向側（発光方向側）に突き出た台部４１となっている。そして、台部４１は、周囲に平面状のつば部４３を備える。以下の説明において、光の照射方向側を発光方向側あるいは表側と記載する場合があり、光の照射方向側の反対側を反発光方向側あるいは裏側と記載する場合があるものとする。
【００２６】
筐体４０は、台部４１の内側（裏側）に、受電部３０を収納する受電部収納部３５を備える。また、台部４１の外側（表側）に光源取付部６０を備える。光源取付部６０は、台部４１の外面から発光方向側に矩形に突き出した枠である。光源取付部６０は、枠の内部に平板状の光源部７０を取り付ける。光源部７０は、例えば、ＬＥＤ（発光ダイオード）が実装された光源基板である。
【００２７】
また、筐体４０は、給電部側対向面２２に対向する面である筐体側対向面４２を有する。筐体側対向面４２は、受電部側対向面３２に対応する領域に開口部を有し、受電部側対向面３２は、筐体側対向面４２の開口部から露出する。
【００２８】
あるいは、筐体側対向面４２が受電部側対向面３２を兼ねるように構成しても良い。すなわち、筐体側対向面４２に開口部を有するのではなく、筐体側対向面４２は１枚の面で形成され、筐体側対向面４２の受電側ケース３１に対応する部分が受電部側対向面３２として機能するとしても良い。
【００２９】
また、図１では、給電部側対向面２２と受電部側対向面３２とは、給電部２０の給電側ケース２１の備える面と受電部３０の受電側ケース３１の備える面というように、夫々が別々に形成されている。しかし、筐体４０の筐体側対向面４２が、給電部側対向面２２と受電部側対向面３２とを兼ねるような構成としても良い。つまり、筐体側対向面４２が、給電側ケース２１と受電側ケース３１とにより共用されるように１枚で構成され、給電部側対向面２２及び受電部側対向面３２として機能するとしても良い。
【００３０】
受電部３０には整流回路を含む直流生成回路が備えられており、直流生成回路の出力である直流電力が光源部７０の発光ダイオードなどの直流駆動可能な光源に供給される。光源部７０の発光ダイオードなどの光源は、さらに、樹脂製のセードなどのカバーを使用することが多い。
【００３１】
筐体４０は、受電部３０を覆う筐体であり、給電部２０と受電部３０との間は少なくとも樹脂等の絶縁物で構成され、かつ給電コイル２３と受電コイル３３との磁気結合を高めるため、電気的な耐圧が確保される範囲で薄く形成されている。
【００３２】
設置板５０は、間仕切りであり、建屋の壁や部屋の仕切り、あるいは天井などである。
【００３３】
光源取付部６０は、光源部７０と筐体４０とを固定するための光源部固定手段であり、筐体４０と一体的に形成されたものでも、筐体４０と別の部材で形成されて筐体４０とネジやその他の手段で固定されたものでもよい。さらに筐体４０に対して光源部７０を固定するだけでなく、その近傍に設けた機構手段で光源部７０を固定するものでもよい。
【００３４】
設置板５０は、光源部７０から発せられる光の照射方向側の面である設置板表面５１（表面）と、設置板表面５１の反対側の面である設置板裏面５２（裏面）と、設置板表面５１から設置板裏面５２まで貫通する貫通孔である取付孔５３とを備える。
【００３５】
給電側ケース２１は、設置板裏面５２側の取付孔５３の位置に配置されて固定されるとともに、給電部側対向面２２が光の照射方向側に向くように配置される。つまり、給電部側対向面２２は、取付孔５３の内部から光の照射方向を臨む位置に配置される。図１では、給電部側対向面２２は、設置板表面５１と略同一平面状となるように配置されている。
【００３６】
筐体４０は、受電部側対向面３２が給電部側対向面２２と対向するように、設置板５０に固定されるための設置板固定部を備える。また、設置板５０は、受電部側対向面３２が給電部側対向面２２と対向するように筐体４０を取り付けるための筐体取付部を備える。筐体４０のつば部４３は、例えば、筐体ネジ穴（設置板固定部の一例）を備える。設置板５０は、例えば、筐体ネジ穴に対応する位置に設置板ネジ穴（筐体取付部の一例）を備え、取付ネジ等を用いて筐体４０を設置板５０に取り付ける。
【００３７】
筐体４０は、上述したように、設置板５０に対してネジやその他の手段で取り付け固定される。あるいは、給電部２０を金属製ボックスなどの外囲器（給電側ケース２１）に収納し、この外囲器に筐体４０を固定したりできる構造になっていてもよい。筐体４０は、全体が樹脂材料で構成されていてもよい。あるいは、筐体４０は、給電部２０と受電部３０とが結合（磁気結合）する箇所であって絶縁が必要な箇所以外は、金属材料（非絶縁材料）で構成してもよい。
【００３８】
図３は、本実施の形態に係る光源装置１００に使用可能な点灯装置の一例を示している。図３において、交流電源１０は、スイッチ（図示せず）を介して給電部２０に給電する。給電部２０は、整流回路２１０、高周波電力部２２０などから形成され、高周波電圧が給電コイル２３に印加される。受電部３０は受電コイル３３で受電した高周波交流を整流回路３１０を含む直流生成回路３２０で所要の直流に変換し光源部７０を点灯する。また直流生成回路３２０には必要に応じて光源に適切な電流（電力）を供給維持するための制御動作を行う手段を備えるものとする。
【００３９】
受電部３０や給電部２０の回路構成は、上記に限定されず、負荷である光源部７０に所要の電力を供給できるものであればよい。光源部７０への供給電力を給電部２０の制御で可変するなどして光源を調光するものでもよい。
【００４０】
図４は、本実施の形態に係る光源装置１００に使用可能な点灯装置の他の例を示している。光源部７０に対する受電部３０からの直流出力をコネクタ９０で行うようにしたものである。本実施の形態に係る光源装置１００では、非接触給電により絶縁されているが、さらに、光源部７０への供給直流電圧を十分に低く（ＳＥＬＶ：安全特別低電圧）するならばコネクタ９０で安全を維持しつつ簡易に給電できる。
【００４１】
図３、図４のように構成された光源装置１００において、交流電源１０が投入されると給電部２０からの出力である高周波交流は受電部３０で受電される。このとき給電部２０と受電部３０とは、筐体４０あるいは給電側ケース２１あるいは受電側ケース３１の備える絶縁領域８０（図１参照）で絶縁されかつ近接した距離であるので効率よく伝達できる。受電部３０はこの高周波交流をダイオード等で整流し直流電力を生成する。この直流を光源に供給するので光源は点灯する。
【００４２】
光源に発光ダイオードなどを使用する際には、直流定電流としての特性をこの伝達で得られると発光ダイオードの点灯する回路に電流制限要素が無くてもすむので好ましい。本実施の形態に係る光源装置１００では、給電コイル２３と受電コイル３３との結合（磁気結合）は、給電コア２４と受電コア３４とが近接しているとはいえ理想トランスほどは高くならないので、その結合係数を利用して光源に定電流的な特性の電流を供給することもできる。この場合は受電側に特別な定電流回路がなくてもすむ。
【００４３】
図５は、本実施の形態１に係る光源装置１００の光源としてＬＥＤ（発光ダイオード）を用いた場合の一構成例を示す図である。図５において、受電部３０から直流電力を供給される光源部７０は、発光体としての発光ダイオード７２０と、これを搭載する光源基板７１０等からなる。
【００４４】
光源部７０は、受電部３０から低電圧である定電流直流が供給されるように構成される。光源部７０と受電部３０との接続は、例えば、光源部７０の背面（受電部３０に面した側）にコネクタ構造を設けたり、あるいは、直接的に配線により受電部３０から光源基板７１０を備えた光源部７０に接続しても良い。
【００４５】
以上のように、本実施の形態に係る光源装置１００によれば、給電側と受電側とは絶縁物で絶縁されているので安全性が高まる。筐体４０あるいは給電側ケース２１あるいは受電側ケース３１は、受電コイル３３と給電コイル２３との対向箇所だけを絶縁物として、その他の外周部（外周面）を鉄などの金属磁性材で構成する。これにより、給電コイル２３で発生した磁束の一部である漏れ磁束が外部に放射されることを抑制できる。さらに受電部３０を不燃材料で覆うことになるので異常な過熱などが起きても安全性が高い。
【００４６】
給電部２０は、鉄を含む金属製スイッチボックスを用いて収納することが磁性材料でもあり給電するための高周波コイルから外部へ出す不要な電磁放射ノイズを低減できるので最適である。つまり、給電側ケース２１は、鉄を含む金属製スイッチボックスを用いるとよい。
【００４７】
本実施の形態に係る光源装置１００によれば、受電部３０と光源部７０とを筐体４０に対して互いに平面的に配置した。さらに、筐体４０の外側に光源部７０を固定する光源取付部６０（光源固定手段または光源取り付け枠）を備えたので、装置を薄型に構成することができる。
【００４８】
実施の形態２．
図６は、本実施の形態に係る光源装置１０２の断面を示す模式図である。図６において、図１と同様の機能構成を有する構成部には同一の符号を付し、その説明を省略する。
【００４９】
筐体４０２は、設置板５０に対して、実施の形態１と同様にネジやその他の手段で取り付け固定される。あるいは、給電部２０を収納した金属製ボックス（給電側ケース２１）などの外囲器を用いて固定できる構造になっているものとする。
【００５０】
図６に示すように、本実施の形態に係る光源装置１０２では、筐体４０２の構成が図１の筐体４０と異なる。筐体４０２は、照射方向側の面は平面状である。筐体４０２は、照射方向側の面の中央部に枠状の光源取付部６０を備える。光源部７０は、この光源取付部６０に取り付けられるので、照射方向側の面上に取り付けられることになる。
【００５１】
筐体４０２は、反発光方向側（裏側）に受電部３０を収納する受電部収納部３５を備える。受電部収納部３５は、取付孔５３に挿入され、受電部側対向面３２は、設置板５０の設置板裏面５２側に配置される。給電部２０は、取付孔５３の設置板裏面５２側に固定されており、給電部２０と受電部３０との非接触給電部分は設置板５０の裏面側となる。
【００５２】
言い換えると、図６の光源装置１０２では、受電部３０の少なくともその一部が設置板５０の外側面（設置板表面５１）より中に入り込むように筐体４０２が形成されている。交流電源１０が投入されると、給電部２０により非接触給電された受電部３０からの出力で、光源部７０の光源が点灯する構成は実施の形態１で説明したものと同様である。
【００５３】
以上のように、本実施の形態に係る光源装置１０２によれば、受電部３０の少なくとも一部が設置板５０（間仕切り）の外側面（設置板表面５１）より内側（設置板裏面５２側）に入るので、光源部７０が設置板表面５１から外側（発光方向側）へ突き出す長さが短くなり、光源部７０を見た時の外観が向上する。さらに、図１の光源装置１００と同様に、筐体４０あるいは給電側ケース２１あるいは受電側ケース３１は、受電コイル３３と給電コイル２３との対向箇所だけを絶縁物として、その他の外周部を鉄などの金属磁性材で構成するなどの適用ができる。
【００５４】
実施の形態３．
図７は、本実施の形態３に係る光源装置１０３の断面を示す模式図である。図７において、図１と同様の機能構成を有する構成部には同一の符号を付し、その説明を省略する。
【００５５】
筐体４０３は、設置板５０に対して、実施の形態１と同様にネジやその他の手段で取り付け固定される。あるいは、給電部２０を収納した金属製ボックス（給電側ケース２１）などの外囲器を用いて固定できる構造になっているものとする。
【００５６】
図７に示すように、本実施の形態に係る光源装置１０３では、筐体４０３の構成が図１の筐体４０と異なる。筐体４０３は、照射方向側の面の中央部に凹み部４４を有する。筐体４０３は、照射方向側の面の中央部の凹み部４４の内部に枠状の光源取付部６０を備える。光源部７０は凹み部４４内の光源取付部６０に取り付けられるので、光源部７０の発光方向側の面と筐体４０３のつば部４３とが略同一平面状となる。
【００５７】
受電部収納部３５は、凹み部４４の底面の裏側に設けられる。筐体４０３を設置板５０に取り付ける場合には、受電部収納部３５と凹み部４４とが取付孔５３に挿入される。受電部側対向面３２は、設置板５０の設置板裏面５２側に配置される。給電部２０は、取付孔５３の設置板裏面５２に固定されており、給電部２０と受電部３０との非接触給電部分は設置板５０の裏面側となる。
【００５８】
光源部７０の少なくとも一部は、取付孔５３に挿入されるので、光源部７０の発光方向側の面は、設置板表面５１と略同一平面上に配置されるか、あるいは、設置板表面５１よりやや突き出た位置に配置される。
【００５９】
言い換えると、光源装置１０３では、受電部３０が設置板５０に入り込むだけでなく、光源部７０の少なくとも一部が設置板５０の外側面（設置板表面５１）より中に（裏面側に）入り込むように筐体４０３が形成されている。
【００６０】
以上のように、本実施の形態に係る光源装置１０３によれば、光源部７０が設置板表面５１から外側（発光方向側）へ突き出す長さがより短くなり、光源部７０を見た時の外観が一層向上する。さらに、光源部７０の外側面（光の照射面側の面）と筐体４０３とをほぼ同一面になるように凹み部４４の深さを調節すれば、外観はさらに向上するだけでなく、近傍を通る人間が光源部７０に不要に接触をすることを防止できる。
【００６１】
図１の光源装置１００と同様に、筐体４０３あるいは給電側ケース２１あるいは受電側ケース３１は、受電コイル３３と給電コイル２３との対向箇所だけを非磁性材料の絶縁物として、その他の外周部を鉄などの金属磁性材で構成するなどの適用ができる。
【００６２】
実施の形態４．
図８は、実施の形態２で説明した光源装置１０２の一部断面を示す模式図である。図９は、実施の形態２で説明した光源装置１０２の平面図である。図８において、図１と同様の機能構成を有する構成部には同一の符号を付し、その説明を省略する。図８は、実施の形態２で説明した筐体４０２と光源取付部６０と光源部７０との構造を分かり易く説明するための一部断面図である。図９は実施の形態２で説明した光源装置１０２を光源部７０側から見た図である。
【００６３】
図８及び図９に示すように、光源取付部６０（光源部固定手段）は光源部７０の外周に、光源部７０を収納可能な枠状の形状に構成されている。図７において、筐体４０２の外側の面である光源部７０側の面には、少なくとも２辺が対向する枠状の形状の突出部である光源部固定手段（光源取付部６０）を備えている。光源取付部６０は、枠状の突出部の内側に光源部７０が収納できるように形成されているので、光源部７０は容易に固定できるだけでなく衝突などによる損傷を防止できる。
【００６４】
光源取付部６０は、例えば上下２辺の突出部（一対の突出部）を備えていれば、一対の突出部に光源部７０を嵌め合わせたり、その他の手段（ネジ止め、爪部などによる係合）で光源部７０を固定することは容易である。
【００６５】
図９に示すように、光源装置１０２では、光源取付部６０の一対の突出部を２セット備えている。すなわち、光源取付部６０は、この突出部を４辺とする枠状の形状にしており、光源部７０の固定がさらに強固になる。
【００６６】
図８及び図９に示すように、光源取付部６０の突出部の高さは光源部７０の突き出ている高さと同等以上が好ましい。光源取付部６０の枠状の突出部の下辺部には、突出していない部分（切り欠き部分）を設けてもよい。下辺部に突出していない部分（切り欠き部分）を設けることにより、水滴等が枠状の突出部に入ったときに下辺部の突出していない部分（切り欠き部分）から排出できる。
【００６７】
実施の形態５．
図１０は、本実施の形態に係る光源装置１０５の平面図である。図９に示す光源装置１０２と同様の機能構成については同一の符号を付し、その説明を省略する。
【００６８】
図１０に示すように、光源装置１０５では、光源取付部６０１の形状が実施の形態２で説明した光源装置１０２の光源取付部６０とは異なる。光源取付部６０１は、光源部固定手段として、光源部７０の１辺の長さよりも短い突起形状のものを光源部７０の上部と下部に備える。光源取付部６０１は、上下の突起部の間に光源部７０を嵌め合わせたり、あるいはネジ等で固定したりする構造とする。光源取付部６０１は、光源部固定手段として、少なくとも上下２個の突起部から構成される。光源装置１０５は、このような手段（光源取付部６０１）を備えることで、光源部７０を簡易な構造で容易に固定することができる。
【００６９】
実施の形態６．
図１１は、本実施の形態に係る光源装置１０６の断面を示す模式図である。図１１において、実施の形態３で説明した図７の光源装置１０３と同様の機能構成を有する構成部には同一の符号を付し、その説明を省略する。
【００７０】
筐体４０６は、設置板５０に対して、実施の形態１と同様にネジやその他の手段で取り付け固定される。あるいは、給電部２０を収納した金属製ボックス（給電側ケース２１でもよい）などの外囲器を用いて固定できる構造になっているものとする。
【００７１】
図１１に示すように、本実施の形態に係る光源装置１０６では、筐体４０６の構成が図７の筐体４０３と異なる。筐体４０６は、照射方向側の面の中央部の凹み部４４の内部に、光源取付部６０と光源取付部６０に取り付けられた光源部７０とが完全に収納されている。
【００７２】
そして、筐体４０６には、照射方向側の面の中央部の凹み部４４を覆うように透光性のカバー７０１が取り付けられる。透光性のカバー７０１とつば部４３とは、略同一平面状となる。つまり、筐体４０６の発光方向側の面は平面状となる。
【００７３】
図１１の光源装置１０６では、受電部３０が設置板５０の取付孔５３に入り込むだけでなく、光源部７０の少なくとも一部が設置板５０の取付孔５３に入り込むように筐体４０６が形成されている。さらに光源部７０が収納される凹み部４４は、筐体４０６と一体的に構成された透光性のカバー７０１が覆うようになっている。
【００７４】
本実施の形態において、交流電源１０が投入されると、受電部３０からの出力で光源部７０の光源が点灯することは上述したものと同様である。このとき、光源部７０は透光性のカバー７０１で覆われているので光源の汚れを防止することができる。また、光源部７０（光源、ＬＥＤ）が傷ついたりすることを防ぐ。筐体４０６が全て透光性の樹脂で形成されていても良い。あるいは、筐体４０６が全て透光性の樹脂で形成されていると筐体としての強度や耐熱性その他の要求特性を十分満たせない場合は、筐体４０６の光源部７０を覆う箇所の材料と、その他の筐体４０６部分とを別々の材料で構成してもよい。その場合は、光源部７０を覆うための部材（透光性のカバー７０１）を固定する手段（カバー取付部）を筐体４０６に具備し、カバー取付部により透光性のカバー７０１を（光源を覆う材料）を固定すればよい。このようにすると、筐体４０６による安全性の確保と、光源部７０からの光の確保とが容易になる。
【００７５】
実施の形態７．
図１２は、本実施の形態に係る光源装置１０７の模式図であり、（ａ）は断面を示す模式図、（ｂ）は平面図（発行方向側から見た図）である。図１、図２に示す構成と同様の機能構成を有する構成部については同一の符号を付し、その説明を省略する。
【００７６】
本実施の形態に係る光源装置１０７は、光源部７０と受電部３０とを設置板５０に対して垂直方向に重ねて配置するのではなく、光源部７０と受電部３０とを設置板５０と平行な平面上に並べて配置する形状である。給電部２０と受電部３０とは、非接触給電の必要性があるので、上述したものと同様に設置板５０に対して垂直方向に重ねて配置される。
【００７７】
光源装置１０７では、台部４１の内側に受電部収納部３５を備え、受電部３０が収納されている（実施の形態１と同様の構成）。光源取付部６０は、台部４１の下方に設けられ、光源部７０が取り付けられる。筐体４０７は、反発光方向側の面が平面状になっている。
【００７８】
光源装置１０７では、筐体４０７に収納される受電部収納部３５（受電部３０）が突出する場合に、突出する受電部３０に対して、下方に光源部７０を配置したものである。
【００７９】
図１２（ａ）において、給電側筐体９１は、給電部２０を収納する金属製ボックスなどの外囲器であり、取付孔５３に設置板５０の裏側から挿入されて固定される。筐体４０７は、筐体４０７のつば部４３の裏面が設置板表面５１と当接するように設置板５０に取り付けられる。筐体４０７には、台部４１の発光方向側の面と光源部７０の発光方向側の面とがほぼ同じ高さになるようにして上下に配置されている。給電側筐体９１は、上述した給電側ケース２１と同一としても良いし、給電側ケース２１を収納するボックスであっても良い。
【００８０】
図１２（ｂ）に示すように、光源装置１０７では受電部３０に対して光源部７０が上下方向に並んで配置されるようにしている。このように、筐体４０７からみて光源部７０が受電部３０に対してフラットに位置するので装置全体として薄形にすることができる。さらに、光源部７０として有機ＥＬを使用すれば一段と装置を薄くすることができる。
【００８１】
以上のように、光源装置１０７では、受電部３０を光源部７０の上方に配置したので光源部７０に対する衝突などの物理的な損傷が防げる効果がある。特に、受電部３０（台部４１、受電部収納部３５）の発光方向へ突出する高さと、光源部７０の高さとをほぼ等しくすることは外観上から好ましい。
【００８２】
しかし、本実施の形態に係る光源装置１０７の受電部３０と光源部７０との配置は、上下方向を逆としても良い。光源装置１０７を壁面などに鉛直に取り付けるときに、下方の明るさを重視する場合は、受電部３０を光源部７０の上方に位置させ、上方への光を重視する用途に光源装置１０７を用いる場合には、受電部３０を光源部７０の下方に位置させるほうがよい。
【００８３】
また、光源装置１０７では、受電部３０を筐体４０７の内部に収納したが、フラットに（受電部３０と光源部７０とを同一平面上に並べて）配置するならば、光源部７０も筐体４０７の内部に収納する構成としても良い。この場合は、筐体４０７の光源部７０の表面箇所（発光方向側の箇所）に対応する箇所は、透光性のよい材料で構成する（実施の形態６参照）。
【００８４】
実施の形態８．
図１３は、本実施の形態に係る光源装置１０８のコアの配置の一例を示す図である。光源装置１０８は、コア間（給電コア２４と受電コア３４）との距離を短くし、かつ安定にできる給電部２０及び受電部３０の一例を示す。
【００８５】
図１３に示すように、光源装置１０８は、給電コイル２３、給電コア２４、受電コイル３３、受電コア３４、給電側ケース２１（給電側筐体９１でもよい）、受電側ケース３１（受電側筐体）、筐体４０を備える。受電側ケース３１（受電側筐体）と筐体４０とは同一部材でも良い。
【００８６】
図１３に示すように、コア（給電コア２４、受電コア３４）は、コ字形状であり、給電コア２４の両側の端部２４ａ，２４ｂと、受電コア３４の両側の端部３４ａ，３４ｂとを備える。給電コア２４、受電コア３４は、互いにコ字形状の開口部が向き合うように配置され、端部２４ａと端部３４ａとが近接して対向し、端部２４ｂと端部３４ｂとが近接して対向するように配置される。
【００８７】
給電側ケース２１（給電側筐体ともいう）、受電側ケース３１（受電側筐体ともいう）、あるいは筐体４０は、給電コア２４の両側の端部２４ａ，２４ｂと、受電コア３４の両側の端部３４ａ，３４ｂとに相当する形状の窪み部４０ｄを有する。
【００８８】
従って両コアの脚部（両端部２４ａ，２４ｂと両端部３４ａ，３４ｂ）は、この窪み部４０ｄに入ることにより、その間（端部２４ａと端部３４ａとの間、端部２４ｂと端部３４ｂとの間）の空間部の距離を短くし、かつ安定な距離を維持できる。この実施例ではコアとしてＵ字形（コ字形）コアであるがＥ形コアや他の形状のものでもよい。
【００８９】
また、実施の形態１で説明したように、対向する端部２４ａと端部３４ａとの間、端部２４ｂと端部３４ｂとの間、給電コイル２３と受電コイル３３との間に位置する給電部側対向面２２、受電部側対向面３２、筐体側対向面４２のうちの少なくとも１つの面の少なくとも一部は、絶縁部材で形成されている。図１３では、受電側ケース３１（筐体４０）の受電コア３４の両端部３４ａ，３４ｂに対応する面（受電部側対向面３２）を絶縁部材で形成された絶縁領域８０としている。
【００９０】
本実施の形態に係る光源装置１０８では、上述したように、給電部２０は、磁性材料である鉄を含む金属製スイッチボックス等を用いて収納することが好ましい。それは、給電するための高周波コイル（給電コイル２３）から外部へ出す不要な電磁放射ノイズを低減できるからである。給電コイル２３を備えた給電コア２４と受電コイル３３を備えた受電コア３４との間に介在する絶縁材料の厚さは薄ければ薄いほど結合（磁気結合）が良くなるが、機械的強度や絶縁性能を考慮し２ｍｍ以下で０．３ｍｍ以上とすべきである。
【００９１】
本実施の形態に係る光源装置１０８では、給電コイル２３を備えた給電コア２４と受電コイル３３を備えた受電コア３４の脚部形状にほぼ相当する窪み部４０ｄを筐体（給電側ケース２１（給電側筐体ともいう）、受電側ケース３１（受電側筐体ともいう）、及び筐体４０）の該当箇所の両面に設けて前記コアを保持する非接触給電を行うので、光源装置１０８の安全性を高めることができ、さらに間仕切り（設置板５０）から突き出す部分を薄形にして装置全体を薄形にすることができる。
【００９２】
実施の形態９．
図１４は、本実施の形態に係る光源装置９０１の断面を示す模式図である。図１４は、図１２に対応する図であり、図１２と同様の機能構成を有する構成部には同一の符号を付し、その説明を簡略化、あるいは省略する。
【００９３】
図１４において、交流電源１０は、スイッチ手段（図示せず）により交流電源を給電部２０に供給する。給電部２０は、非接触給電をおこなうための高周波交流電圧の生成を行う。給電部２０は、出力を伝達するための給電コイル２３と給電コイル２３を備えた給電コア２４を備える。
【００９４】
給電側ケース２１（給電部カバー）は、鉄など磁性金属材料からなり、後述する分離部８１０（分離手段）に固定するための給電ケースつば部８２１を備えている。給電ケースつば部８２１は、例えば、給電部側対向面２２の周縁の少なくとも一部から外側に形成された面部である。
【００９５】
また、図１２の光源装置１０７では、光源部７０の配置位置を確保するために、給電部２０と受電部３０とは、給電側筐体９１（外囲器）の受電部３０側に対向する面（給電側筐体対向面９１１（図１４参照））において、上下方向の一方の方向に片寄って配置されていた（図１２参照）。
【００９６】
しかし、本実施の形態の光源装置９０１では、図１４に示すように、給電側ケース２１と受電側ケース３１とは、給電側筐体対向面９１１の中央部に配置されている。
【００９７】
給電側ケース２１は、本実施の形態では、受電側ケース３１（受電部カバー）に対向する面である給電部側対向面２２の一部が絶縁領域８０となっている。図１４に示すように、給電部側対向面２２（給電部の底面即ち受電部と対向する面）の一部の破線で示す領域は、受電部３０に電力を伝達するために絶縁材料で構成された絶縁領域８０である。
【００９８】
受電部３０は、給電コイル２３に対応した受電コイル３３と、受電コイル３３が巻かれている受電コア３４を備える。給電コア２４と受電コア３４とは近接して対面するように位置している。給電コイル２３と受電コイル３３とは近接して対面するように位置している。受電部３０には、整流回路を含む直流生成回路が備えられており、直流生成回路の出力である直流電力が光源部７０の発光ダイオードなどの直流駆動可能な光源に供給される。
【００９９】
受電側ケース３１（受電部カバー）は、鉄など磁性金属材料からなり、後述する分離部８１０（分離手段）に固定するための受電ケースつば部８３１を備えている。受電ケースつば部８３１は、例えば、受電部側対向面３２の周縁の少なくとも一部から外側に形成された面部である。
【０１００】
図１４に示すＡ部は、給電側ケース２１の給電ケースつば部８２１と、受電側ケース３１の受電ケースつば部８３１と、分離部８１０の分離部底面部８１１とを相互に固定する固定箇所である。Ａ部の矢印は、ネジ、あるいはその他の手段により、給電ケースつば部８２１と受電ケースつば部８３１と分離部底面部８１１とを固定することを示している。
【０１０１】
分離部８１０は、底面部表面８１６と底面部裏面８１７とを有する分離部底面部８１１（分離板の一例）を備える。分離部８１０は、底面部表面８１６に受電側ケース３１を取り付けるとともに、底面部裏面８１７に給電側ケース２１及び給電側筐体９１（外囲器）を取り付ける。受電側ケース３１は、内部に収納されている受電コイル３３が近接する面である受電部側対向面３２が底面部表面８１６に当接するように底面部表面８１６に取り付けられ、給電側ケース２１は、内部に収納されている給電コイル２３が近接する面である給電部側対向面２２が底面部裏面８１７に当接するように底面部裏面８１７に取り付けられる。
【０１０２】
本実施の形態では、給電部側対向面２２に絶縁領域８０を有するとしたが、給電部側対向面２２と受電部側対向面３２と底面部表面８１６と底面部裏面８１７との少なくともいずれかに絶縁領域８０を備えていればよい。給電部側対向面２２と受電部側対向面３２と底面部表面８１６と底面部裏面８１７との少なくともいずれかは、絶縁領域８０が給電コイル２３と受電コイル３３とが近接する位置に対応する領域となるように、絶縁領域８０を備える。分離部８１０は、金属等の磁性体により形成されていてもよいし、全体を樹脂等で形成してもよい。
【０１０３】
図１６は、本実施の形態に係る光源装置９０１において、組み立て作業中の状態を設置板表面５１側から見た平面図である。図１６は、図１４の光源装置９０１において光源部７０を除いた主要部の設置板表面５１側から見た正面図となる。図１６において、受電側ケース３１の受電ケースつば部８３１と、分離部底面部８１１との固定箇所（Ａ部）の例を矢印で示す。また、図１４に示す空隙９５０は、給電部側対向面２２と受電部側対向面３２との位置における給電コイル２３と受電コイル３３との対向箇所を含む近傍であり、非接触での給電のために設けた空隙９５０である。
【０１０４】
本実施の形態では、上述したように、給電部側対向面２２に絶縁材料による絶縁領域８０を備えるものとしているので、ここは空隙９５０でよい。しかし、給電部側対向面２２に絶縁材料が配置されていない場合（給電部側対向面２２に絶縁領域８０がない場合）は、図１４及び図１６の一点鎖線で示したように、空隙９５０に相当する領域に絶縁材料で形成された絶縁シート８８０を配置すればよい。
【０１０５】
図１４のＢ部は、分離部８１０の分離部底面部８１１と給電側筐体９１（外囲器）の給電側筐体対向面９１１とを固定する部位である。Ｂ部の矢印は、分離部底面部８１１と給電側筐体対向面９１１とを、例えば、ネジ、あるいはその他の手段で固定することを示している。
【０１０６】
分離部８１０は、分離部底面部８１１の周縁の少なくとも一部から底面部表面８１６側に突き出た分離部側面部８１２（側壁部の一例）であって、受電部３０を囲むように形成された分離部側面部８１２を備える。つまり、分離部８１０（分離手段）はその周辺に、例えば、立ち上がり形状を有する分離部側面部８１２（分離手段固定部）を備える。
【０１０７】
光源装置９０１は、光源部７０と光源固定部８６０とを備える。光源部７０は、光源固定部８６０と一体化して形成されているか、あるいは光源固定部８６０に固定されている。光源部７０と光源固定部８６０とを合わせて光源取付部とする。
【０１０８】
光源取付部（光源部７０と光源固定部８６０）は、光源部７０を底面部とし、光源部７０と光源部７０（底面部）の周縁から分離部８１０側に突き出して形成された側面部（光源固定部８６０）とを有する蓋形状である。
【０１０９】
光源部７０には、光源部７０の発光方向側に光源が取り付けられる。光源は、ＬＥＤ（発光ダイオード）、あるいは有機ＥＬなどでもよい。分離部側面部８１２（側壁部）の外周面と光源固定部８６０（側面）の内周面とが当接するように、図１４のＣ部において固定される。光源取付部（光源部７０と光源固定部８６０）は、分離部８１０に被せるように取り付けられる。Ｃ部の矢印は、分離部側面部８１２と光源固定部８６０（側面）とを、例えば、ネジ、嵌め合わせ、突起部かみ合わせ、あるいはその他の固定手段で固定することを示している。
【０１１０】
上述したように、分離部８１０の４辺の外周に分離部側面部８１２のような立ち上がりを設け、光源固定部８６０（光源部固定手段）も光源部７０の４辺に備え、直方体の箱（分離部８１０部分）に蓋（光源取付部（光源部７０及び光源固定部８６０）部分）をするような形状とすることができる。このとき、分離部側面部８１２の高さは受電側ケース３１の高さより高くするとよいが、分離部側面部８１２の高さが受電側ケース３１の高さより低い場合には光源固定部８６０の高さを十分にとって、受電部３０が光源部７０に接触しないように設計にする必要がある。
【０１１１】
また、分離部８１０は、分離部側面部８１２の外周面に突き出した突出部（弾性体８１８（図１４参照））であって、光源固定部８６０の内周面と密着する突出部（弾性体８１８）を備えていてもよい。また、この突出部は、弾性体でなくてもよい。例えば、光源装置９０１は、この突出部に対応する光源固定部８６０の内周面の位置に、突出部に対応する溝部を設け、突出部と溝部とを嵌め合わせることにより、光源取付部を固定することとしてもよい。
【０１１２】
また、分離部８１０は、光源取付部の光源固定部８６０を固定するための分離部側面部８１２を有しているが、光源固定部８６０は分離部底面部８１１と固定される構造としてもよい。
【０１１３】
図１５は、本実施の形態に係る光源装置９０１において、組み立て作業中の状態を設置板表面５１側から見た平面図である。図１６は、上述したように、本実施の形態に係る光源装置９０１において、組み立て作業中の状態を設置板表面５１側から見た平面図である。図１７は、本実施の形態に係る光源装置９０１において、光源部７０を取り付けた状態を示す平面図である。図１４から図１７を用いて、本実施の形態に係る光源装置９０１の組み立て方法に付いて説明する。
【０１１４】
図１２において説明したように、給電側筐体９１は、給電部２０を収納する金属製ボックスなどの外囲器であり、例えば、取付孔５３に設置板５０の裏側から挿入されて固定される。給電側筐体９１は、取付孔５３に設置板表面５１側から挿入されて固定される構造としてもよい。図１５において、取付孔５３には、給電側筐体対向面９１１と、給電側筐体対向面９１１の中央部に形成された開口である外囲器開口部９１２とが、設置板表面５１と略同一平面上に位置するように配置されている。
【０１１５】
給電側ケース２１は、設置板表面５１側から給電側筐体対向面９１１に形成された外囲器開口部９１２に挿入され、給電側筐体９１の内部に収納することができる構造であるものとする。
【０１１６】
まず、分離部８１０に給電部２０と受電部３０とを固定する。分離部底面部８１１の底面部表面８１６に受電部３０を取り付け、分離部底面部８１１の底面部裏面８１７に給電部２０を取り付ける。受電側ケース３１には、受電コイル３３や受電コア３４等が収納され、給電側ケース２１には、給電コイル２３や給電コア２４等が収納されている。受電側ケース３１と給電側ケース２１とは、受電部側対向面３２と給電部側対向面２２とが対向し、受電コイル３３と給電コイル２３とが確実に磁気結合するように分離部底面部８１１を挟んで配置される。そして、受電ケースつば部８３１と分離部底面部８１１と給電ケースつば部８２１とが、Ａ部において固定される。このように、分離部８１０に給電部２０と受電部３０とを固定した状態の中間装置を形成する。
【０１１７】
次に、分離部８１０に給電部２０と受電部３０とを固定した状態の中間装置を、給電側筐体９１の給電側筐体対向面９１１に設置板表面５１側から取り付ける。図１５に示したように、設置板表面５１の取付孔５３からは、給電側筐体対向面９１１と外囲器開口部９１２とが配置されている。ここで、給電側筐体９１の奥から外囲器開口部９１２に交流電源１０等に接続する配線を取り出す。そして、給電部２０に外囲器開口部９１２から露出した配線を接続する。
【０１１８】
次に、外囲器開口部９１２に、底面部裏面８１７に固定された給電側ケース２１であって給電部２０には配線が接続されている状態の給電側ケース２１を挿入しながら、底面部裏面８１７で取付孔５３を覆うように、底面部裏面８１７を設置板表面５１に当接させる。例えば、分離部８１０は、図１５の点線で示した分離部８１０取付位置に配置される。そして、図１４に示すＢ部において、分離部底面部８１１と給電側筐体対向面９１１とが固定される。これにより、分離部８１０に給電部２０と受電部３０とを固定した状態の中間装置が給電側筐体９１に取り付けられ、設置板表面５１から見ると図１６の状態となる。
【０１１９】
最後に、光源部７０と一体化された光源固定部８６０（以下、光源取付部ともいう）を取り付ける。光源部７０と一体化された光源固定部８６０を、分離部８１０に被せるようにして、光源固定部８６０と分離部側面部８１２とをＣ部において固定する。以上により、図１７に示すように、意匠性の優れた光源装置９０１が組み立てられる。
【０１２０】
次に、上述した組み立て例とは別の組み立て例について説明する。取付孔５３には、給電側筐体対向面９１１と、給電側筐体対向面９１１の中央部の外囲器開口部９１２に配置された給電部側対向面２２とが、設置板表面５１と略同一平面上に位置するように配置されているものとする。つまり、予め、給電側筐体９１とともに給電部２０も、設置板５０に取り付けられているものとする。
【０１２１】
予め、給電側筐体９１と給電部２０とが、設置板５０に取り付けられている状態で、分離部８１０を取り付ける。分離部８１０は、取付孔５３を分離部底面部８１１で覆うように、図１５の点線で示した分離部８１０取付位置に配置され、図１４に示すＢ部において給電側筐体９１の給電側筐体対向面９１１に固定される。
【０１２２】
次に、受電部３０を取り付ける。図１６に示すように、分離部底面部８１１の底面部表面８１６に受電部３０を取り付ける。受電側ケース３１には、受電コイル３３や受電コア３４等が収納されている。受電側ケース３１は、受電部側対向面３２が給電部側対向面２２に対向するように配置され、受電ケースつば部８３１が分離部底面部８１１にＡ部において取り付けられる。このとき、受電ケースつば部８３１と分離部底面部８１１とともに、給電ケースつば部８２１もＡ部において固定される。
【０１２３】
最後に、光源部７０と一体化された光源固定部８６０（以下、光源取付部ともいう）を取り付ける。光源部７０と一体化された光源固定部８６０を、分離部８１０に被せるようにして、光源固定部８６０と分離部側面部８１２とをＣ部において固定する。以上により、図１７に示すように、意匠性の優れた光源装置９０１が組み立てられる。
【０１２４】
以上のように、本実施の形態に係る光源装置１０９によれば、設置場所、設置条件等により異なる組立方法を採用することができる。
【０１２５】
以上のように、本実施の形態に係る光源装置９０１は、給電部２０で発生した高周波交流電圧を給電コイル２３に印加して受電部３０の受電コイル３３に絶縁手段を介して非接触給電し、受電コイル３３の高周波交流電圧から負荷の光源部７０に電力を供給する装置において、受電部３０と給電部２０との対向面が位置する箇所の少なくとも一部を絶縁材料により構成した分離部８１０により互いに固定することを特徴とする。また、給電部２０及び受電部３０の底面（給電部側対向面２２及び受電部側対向面３２）以外は磁性金属材料で覆うことを特徴とする。
【０１２６】
以上のように、本実施の形態に係る光源装置９０１によれば、給電部２０および受電部３０は分離部８１０（分離部底面部８１１）とともに強固に固定して、分離部８１０と給電部２０と受電部３０とを固定した状態の中間装置を形成することができる。製造時にこの状態（給電部２０、受電部３０及び分離部８１０が固定された中間装置の状態）に組み上げておくと、給電コイル２３と受電コイル３３との相互位置がしっかりと固定されるので使用場所に取り付けたときの電気的特性等が不安定になることを防止できる。また、この給電部と受電部とを取り付け固定した分離手段（分離部８１０に給電部２０と受電部３０とを固定した状態の中間装置）を外囲器（給電側筐体９１）に固定するので施工が容易になる。
【０１２７】
また、本実施の形態に係る光源装置９０１によれば、外囲器（給電側筐体９１）は一般に建屋等の構造体や間仕切り（設置板５０）などにより固定できる。光源部７０は、分離手段（分離部８１０）に装着できるので、光源部７０の光源固定部８６０の外周を、上述した弾性体８６１（パッキン等）により防水構造することにより、分離部８１０の内部に雨滴等が入ることを防ぐことができるので、屋外に使用することができる。分離部８１０の４辺の外周に分離部側面部８１２のような立ち上がりを設けて、光源固定部８６０も４辺に備え、直方体の箱に蓋をするような形状とすれば水滴等の侵入を防止できる。光源装置９０１は、給電部２０と受電部３０が非接触であるため本質的に安全性が高く、屋外においても安全性が高まる。
【０１２８】
また、本実施の形態に係る光源装置９０１によれば、高周波ノイズに関して、給電部２０側に対しては給電側筐体９１と給電側ケース２１とが外部への放射を抑制し、光源部７０（受電部３０）側については受電側ケース３１と分離部８１０とが外部への放射を抑制する。したがって、光源装置９０１から放射される不要な高周波ノイズを少なくすることができる。さらに、光源装置９０１では、給電部２０と受電部３０とは夫々金属製カバーに覆われており機械的強度が優れ、たとえ内部で異常な発熱等が起きてもカバーにより危険を防ぐことができる。
【０１２９】
実施の形態１〜９では、給電部２０は交流電源１０から電力を供給するとしたが、太陽光発電やバッテリーなどほかの電力から供給するとしてもよい。また、使用する高周波交流は、種々の電気機器に使用される２０ｋＨｚ〜１ＭＨｚ程度が光源装置に使用する電子部品の調達しやすさなどから好ましい。
【０１３０】
実施の形態１〜９では、筐体４０あるいは分離部８１０が受電部３０と給電部２０とが対面する箇所以外も樹脂で構成されている場合には、光源部７０の存在する面からの放射ノイズが大きくなる恐れがあるので光源部７０側の面を磁性材料で覆うことは有効である。さらに受電部３０と給電部２０とが対面する箇所以外は、磁性材料で筐体４０あるいは分離部８１０を覆うことはノイズを少なくする効果がある。給電部２０については、この給電部２０を金属製ボックス（特に鉄製）に収納する場合は、こちら側（給電部２０側）からのノイズ放射は少なくなるので給電部２０に対する筐体４０あるいは分離部８１０からの対策はなくてもよい。ここで、金属製ボックスは給電側ケース２１と同一としてもよいし、別部材であるものとしてもよい。
【０１３１】
実施の形態１〜９では、光源として発光ダイオードを用いる場合について説明したが、光源として有機ＥＬも使用可能である。特に、図７、図１１、図１２などで説明した光源装置のように、装置全体として薄形を実現しようとする場合には有機ＥＬは光源自身の薄形の特性とあいまって好適である。
【０１３２】
以上、実施の形態１〜９について説明したが、これらの９つの実施の形態のうちの複数を組み合わせて実施しても構わない。あるいは、これらのうち、１つの実施の形態を部分的に実施しても構わない。あるいは、これらの９つの実施の形態のうち複数を部分的に組み合わせて実施しても構わない。その他、これらの９つの実施の形態を全体として、あるいは部分的に、どのように組み合わせて実施しても構わない。
【符号の説明】
【０１３３】
１０  交流電源、２０  給電部、２１  給電側ケース、２２  給電部側対向面、２３  給電コイル、２４  給電コア、２４ａ，２４ｂ  端部、３０  受電部、３１  受電側ケース、３２  受電部側対向面、３３  受電コイル、３４  受電コア、３４ａ，３４ｂ  端部、３５  受電部収納部、４０  筐体、４０ｄ  窪み部、４１  台部、４２  筐体側対向面、４３  つば部、４４  凹み部、５０  設置板、５１  設置板表面、５２  設置板裏面、５３  取付孔、６０  光源取付部、７０  光源部、８０  絶縁領域、９０  コネクタ、９１  給電側筐体、１００，１０２，１０３，１０４，１０５，１０６，１０７，１０８  光源装置、２１０  整流回路、２２０  高周波電力部、３１０  整流回路、３２０  直流生成回路、４０２，４０３，４０６，４０７  筐体、６０１  光源取付部、７０１  カバー、７１０  光源基板、７２０  発光ダイオード、８１０  分離部、８１１  分離部底面部、８１２  分離部側面部、８１６  底面部表面、８１７  底面部裏面、８１８  弾性体、８２１  給電ケースつば部、８３１  受電ケースつば部、８６０  光源固定部、８８０  絶縁シート、９０１  光源装置、９１１  給電側筐体対向面、９１２  外囲器開口部、９５０  空隙。
【図１】
0005939857.tif 000002
【図２】
0005939857.tif 000003
【図３】
0005939857.tif 000004
【図４】
0005939857.tif 000005
【図５】
0005939857.tif 000006
【図６】
0005939857.tif 000007
【図７】
0005939857.tif 000008
【図８】
0005939857.tif 000009
【図９】
0005939857.tif 000010
【図１０】
0005939857.tif 000011
【図１１】
0005939857.tif 000012
【図１２】
0005939857.tif 000013
【図１３】
0005939857.tif 000014
【図１４】
0005939857.tif 000015
【図１５】
0005939857.tif 000016
【図１６】
0005939857.tif 000017
【図１７】
0005939857.tif 000018